(57)【要約】【課題】冷蔵庫を開けなくても、内部の食品の賞味期限及び／又は消費期限を一目で知ることができ、しかも冷蔵庫等に対する着脱が簡単で当該冷蔵庫を汚さない食品用期限管理ボードを提供すること。【解決手段】裏面側に磁石を一体に設け、表面側には、賞味期限と消費期限のいずれかを選択的に表示する期限種類表示欄と、実際の期限を記入する期限表示欄と、食品名等を記入する内容表示欄とを設け、期限種類表示欄は、「賞味期限」と表示したタグと、「消費期限」と表示したタグのいずれかを選択的に磁力を利用して貼り付けるように構成した、食品用期限管理ボード。【選択図】図１
0003122302.tif 000002
【実用新案登録請求の範囲】
【請求項１】
裏面に磁石を一体に設けたボードからなり、当該ボードの表面には、賞味期限と消費期限のいずれかを選択的に表示する期限種類表示欄（４）と、実際の期限を表示する期限表示欄（５）と、食品名等を表示する内容表示欄（６）とが設けられていることを特徴とする期限管理ボード。
【請求項２】
期限種類表示欄は、「賞味期限」と表示したタグと、「消費期限」と表示したタグのいずれかを選択的に磁力を利用して貼り付けるように構成した請求項１に記載の期限管理ボード。
【請求項３】
期限種類表示欄には、あらかじめ「賞味期限」と「消費期限」とが併記されており、いずれかをペンで選択するように構成されている請求項１に記載の期限管理ボード。
【考案の詳細な説明】
【技術分野】
【０００１】
本考案は、冷蔵庫の扉等に取り付けて、当該冷蔵庫に収納されている食品の賞味期限等を一目でわかるように表示する期限管理ボードに関するものである。
【背景技術】
【０００２】
近年、冷凍技術や調理器具の進歩によって、一般家庭でも大量の食品を購入して冷蔵庫に収納しておき、適宜取り出して調理し、食に供することが多くなっている。食料品店やスーパーマーケット等で販売される食品の包装容器には、その内容品の賞味期限、消費期限等が表示されているが、一旦冷蔵庫に収納すると、うっかり賞味期限や消費期限を過ぎてしまって、廃棄しなければならなくなることも多い。
【０００３】
このような問題が起こるのは、内部に収納されている食品の内容が冷蔵庫の外からはわからないからである。また、冷蔵庫に収納されている食品を一々取り出して調べるのは煩雑であり、実際には殆ど行われていない。
【０００４】
このような問題を解決するものとして、例えば、下記特許文献１には、「購入」、「開封」、「調理」といった用途別のラベルに日付等のデータを記入し、食材、食品、調味料等に貼付する方法が提案されている。また、下記特許文献２には、品名欄と日付欄を設けた賞味期限管理用のボードも提案されている。
【特許文献１】特開２００３−２３３３１４号公報
【特許文献２】実開平６−６９９７８号公報
【考案の開示】
【考案が解決しようとする課題】
【０００５】
しかしながら、多くの食品の包装容器には、それを美味しく食することのできる「賞味期限」の他に、期間経過後は食してはならないことを示す「消費期限」が表示されていることが多い。この「消費期限」は、衛生上きわめて重要であり、「消費期限」が切れた食品は廃棄しなければならないが、従来は消費期限の管理までは行われておらず、上記特許文献１、２にもこの点に関してはまったく記載されていない。
【０００６】
また、上記特許文献１に記載のものは、「購入」、「開封」、「調理」等の記事をラベルに記入し、このラベルを食品の容器等に貼り付けるものであるから、家庭で調理した料理や、開封後長期にわたって使用する調味料等の期限管理には便利であるが、購入した食品に表示されている賞味期限や消費期限を管理するには適していない。また、上記特許文献２に記載のものは、紐でぶら下げることのできるボードに賞味期限を記入するものであるから、冷蔵庫内の食品の賞味期限を外部から知ることはできるが、重要な消費期限を表示するものではないので、食品管理上不完全である。
【０００７】
また、ボードを紐でぶら下げる方法では、ボードの姿勢が不安定であり、一目で記事を読み取りにくい場合も生じる。なお、この種のボードを糊や接着剤で冷蔵庫の扉等に貼り付けることも考えられるが、糊や接着剤を使用すると、不要となった時に剥すのが困難であるのみならず、ボードから剥したときに跡が付くので、美観上問題となる。そこで、本考案は、冷蔵庫を開けなくても、内部の食品の賞味期限及び／又は消費期限を一目で簡単に知ることができ、しかも冷蔵庫等に対する着脱が簡単で当該冷蔵庫を汚さない期限管理ボードを提供することを課題としている。
【課題を解決するための手段】
【０００８】
本考案は、上記課題を解決するため、次のような構成を採用した。すなわち、請求項１に記載の期限管理ボードは、裏面に磁石を一体に設けたボードからなり、当該ボードの表面には、賞味期限と消費期限のいずれかを選択的に表示する期限種類表示欄と、実際の期限を表示する期限表示欄と、食品名等を表示する内容表示欄とが設けられていることを特徴としている。
【０００９】
請求項２に記載の考案は、上記請求項１に記載の考案において、期限種類表示欄は、「賞味期限」と表示したタグと、「消費期限」と表示したタグのいずれかを選択的に磁力を利用して貼り付けるように構成したものである。さらに、請求項３に記載の期限管理ボードは、期限種類表示欄には、あらかじめ「賞味期限」と「消費期限」とが併記されており、いずれかをペンで選択するように構成されているものである。
【考案の効果】
【００１０】
本願考案に係る食品の期限管理ボードは、磁石を利用して冷蔵庫の扉や側壁に取り付けるものであるから、当該ボードの姿勢が常に一定であり、冷蔵庫内部に収納されている食品の賞味期限や消費期限を一目で簡単に知ることができる。
【考案を実施するための最良の形態】
【００１１】
本考案に係る食品の期限管理ボードは、冷蔵庫の扉や側壁面等に貼り付けて使用するもので、この貼り付けには、磁力を利用する。このため、期限管理ボード自体の裏面に磁石層を一体に設けている。磁石層としては、磁石粉を混入したゴムシート等を利用することができる。この種のゴムシート自体の表面を表示部として利用してもよい。
【００１２】
期限管理ボードの表面には、賞味期限と消費期限のいずれかを選択的に表示する期限種類表示欄と、実際の期限を表示する期限表示欄と、食品名等を表示する内容表示欄とが設けられている。期限種類表示欄としては、「賞味期限」と表示したタグと、「消費期限」と表示したタグとを用意しておき、そのいずれかを選択して磁力で貼り付けるようにしてもよく、あらかじめ「賞味期限」の文字と「消費期限」の文字とを併記しておき、いずれかをペンで選択するようにしてもよい。
【実施例】
【００１３】
以下、図面に表された本考案の実施例についてより具体的に説明する。この期限管理ボード１は、合成樹脂等のシートで構成されるもので、裏面側には、磁石層２が設けられている。この磁石層２は、公知の磁石シートであり、例えば磁石粉を混入してシート状に成形したゴム等の合成樹脂のシートを用いることができる。この期限管理ボード１は、裏面の磁石層２を利用して、鉄等の磁性材料に磁力で吸着させることができる。
【００１４】
期限管理ボード１の表面側は、白色のいわゆるホワイトボードとなっていて、フェルトペンで所望の事項を記入したり消したりできるようになっている。この表面には、各種事項を表示する表示部３が設けられている。表示部３には、期限種類表示欄４と、期限表示欄５と、内容表示欄６とが設けられている。これらの他に、適当な事項を表示する表示欄を設けておいてもよい。
【００１５】
期限種類表示欄４には、当該表示欄４内に納まるような大きさの２種類のタグ１１，１２を磁力で貼り付けることができるようになっている。２種類のタグのうちの一つは「賞味期限」の文字を表示したタグ１１であり、他の一つは「消費期限」の文字を表示したタグ１２である。これら２種類のタグ１１，１２を選択的に貼り付けることにより、表示されている期限が何を表すかを一見して知ることができる。あらかじめ用意されているタグを選択するだけで表示できるので、簡単である。
【００１６】
期限表示欄５は、実際の期限を記入する欄であり、フェルトペン等の筆記具で例えば西暦２００６年、５月３日等の表示を行う。この期限は、食品の包装に表示されているが、それよりも短い期限としてもよいことは言うまでもない。自家製の食品、例えば自家で調理したカレー等の場合は、適当と思われる期限を記入すればよい。
【００１７】
内容表示欄６は、該当する食品を表すもので、例えばコロッケ、ハム、魚の干物、めん類、味噌、豆腐、納豆等である。なお、この内容表示欄６と実際の食品の容器等に、共通の数字や記号を記入しておくと、容器の外から内容物がわかりにくい場合や、似たような包装のものが複数個あっても、当該数字や記号を照合するだけで冷蔵庫内の該当する食品を簡単に見つけることができるので便利である。
【００１８】
図２は、上記と若干異なる実施形態を表すもので、この実施形態では、期限種類表示欄４にあらかじめ「賞味期限」の文字と「消費期限」の文字が並列に記載されている。実際の使用時には、これらの文字のうち、該当するものを残し、該当しないものをフェルトペン等で線を引いて消すことにより、期限の内容を選択的に表示することができる。この実施形態では、複数のタグ１１，１２が不要となるので、構成がより簡単となる。
【００１９】
また、図３は、上記食品の包装容器等に記載して内容物を識別する数字、記号を表示する記号表示欄７を設けた例を表す。他の部分は、上記実施形態と同様である。この欄には、冷蔵庫に食品を収納する際に、簡単な記号（番号）を決めて、その記号（番号）を記入し、当該食品の包装容器や袋にも同じ記号（番号）を付記しておく。これにより、冷蔵庫内に多くの食品が収納されている場合でも、目的とする食品を簡単に見つけることができるという利点がある。
【００２０】
次に、本願考案に係る期限管理ボードの使用法について説明する。この期限管理ボード１は、冷蔵庫の扉等の目立ちやすい場所に取り付けて使用する。この取り付けは、磁石の磁着力により行うので、簡単であり、取り外しも簡単である。
【００２１】
期限種類を表す複数のタグ１１，１２，…は、期限管理ボード１の余白部分や、冷蔵庫の扉等の手近な位置に磁着させておけばよい。また、筆記具であるフェルトペン１０は、図４に示すように、当該ボードに繋着した紐１５に結び付けてぶら下げておいてもよいが、図５に示すように、磁石１６を設けた筆記具を使用すると、筆記具自体を任意の場所に磁着させて保持することができるので便利である。
【００２２】
冷蔵庫に食品を収納する場合は、上記期限管理ボード１に管理期限を表示する。すなわち、その期限が「賞味期限」である場合は、「賞味期限」を表すタグを、また、期限が「消費期限」である場合は「消費期限」を表すタグを期限種類表示欄４に貼り付け、管理すべき実際の期限を期限表示欄５に記入する。図２の実施形態のように、期限種類表示欄４に「賞味期限」と「消費期限」が併記されている場合は、いずれか一方をフェルトペン等で消すことにより、その期限が何であるかを表示する。
【００２３】
さらに、内容表示欄６には、当該食品の名前その他の必要事項を記入しておく。なお、図３の実施形態のように、記号（番号）記入欄７がある場合は、当該食品に適当な記号を付記するとともに、この欄に同じ記号を記入しておく。これにより、冷蔵庫の中に何が収納されているかということと、その賞味期限もしくは消費期限が、冷蔵庫を開けなくても一目でわかるようになる。
【００２４】
以上の説明から明らかなように、本願考案に係る期限管理ボードは、冷蔵庫内に保存されている食品の賞味期限や消費期限を、冷蔵庫の扉を開かなくても簡単に知ることができるので、使い忘れて廃棄しなければなくなるような事態を避けることができ、経済的である。また、冷蔵庫内に保存されている食品を一目で知ることができるので、例えば献立を考えるときにもこれら食品を有効活用することができるという利点もある。
【産業上の利用可能性】
【００２５】
この期限管理ボードは、工業生産的に製造することができ、冷蔵庫の付属品等として、効果的に使用することができる。
【図面の簡単な説明】
【００２６】
【図１】期限管理ボードの正面図である。
【図２】若干異なる実施形態を表す正面図である。
【図３】さらに異なる実施形態を表す正面図である。
【図４】使用法の説明図である。
【図５】磁石付きフェルトペンの外観図である。
【符号の説明】
【００２７】
１  期限管理ボード
２  磁石層
３  表示部
４  期限種類表示欄
５  期限表示欄
６  内容表示欄
７  記号表示欄
１０  フェルトペン（筆記具）
１１  タグ
１２  タグ
１５  紐
１６  磁石
【図１】
0003122302.tif 000003
【図２】
0003122302.tif 000004
【図３】
0003122302.tif 000005
【図４】
0003122302.tif 000006
【図５】
0003122302.tif 000007